(57)【要約】【課題】１ＳＥＧ地上波デジタルテレビ放送において、配信される番組情報が少なく、番組選択が困難であるという課題を有していた。また携帯電話などのモバイル端末では画面サイズが小さく直感的に理解しやすい方法で番組情報を表示できないという課題を有していた。【解決手段】番組視聴するための受信部に加え、番組視聴と同期又は非同期に番組情報を受信・解析するに必要な最小限の第２の受信部を備える。また、２次元形式で番組情報を蓄え、上下・左右方向の入力で、チャンネルと日時を切り替える入力部を備える。【選択図】  図１
2004222031.tif 000002
【特許請求の範囲】
【請求項１】
デジタル放送を受信する第１のチューナ部と、
前記第１のチューナ部の出力であるデータストリームを映像信号に変換する第１のデコード部と、
デジタル放送を受信する第２のチューナ部と、
前記第２のチューナ部の出力であるデータストリームを番組情報データに変換する第２のデコード部と、
前記番組情報データをチャネルと現在と次の二軸で管理される２次元形式の番組情報データベースに変換するデータ変換部と、
任意のチャンネルと時間情報を視聴者が指定する入力部と、
前記入力部で指定された所定のチャンネルと時間情報から所定の番組情報データを抽出し、出力する番組情報抽出部と、
第１のデコード部から出力される映像信号と前記所定の番組情報データを選択的にあるいは合成して画面出力する手段と
を備えたことを特徴とするテレビジョン受像装置。
【請求項２】
所定の時間間隔ですべての放送チャンネルをスキャンし番組情報データを収集するため、第２のチューナ部、第２のデコード部、データ変換部を制御する全チャネル番組情報収集手段を備えたことを特徴とする請求項１に記載のテレビジョン受像装置。
【請求項３】
収集した番組情報データを基に、番組の終了を起点として、チャンネル切り替えし新しい番組情報データを収集するため、第２のチューナ部、第２のデコード部、データ変換部を制御する全チャネル番組情報収集手段を備えたことを特徴とする請求項１に記載のテレビジョン受像装置。
【請求項４】
第１のチューナ部、第１のデコード部、入力部、番組抽出部、画面出力部と、
第２のチューナ部、第２のデコード部、データ変換部と、
時間の経過を管理する時間管理部を個別に電源制御する電源制御部を備えたことを特徴とする請求項１に記載のテレビジョン受像装置。
【請求項５】
所定の時間間隔経過時に第２のチューナ部、第２のデコード部、データ変換部に電源を供給する時間管理部と、
すべての放送チャンネルをスキャンし番組情報データを収集するため、第２のチューナ部、第２のデコード部、データ変換部を制御する全チャネル番組情報収集手段を備えたことを特徴とする請求項４に記載のテレビジョン受像装置。
【請求項６】
第２のチューナ部、第２のデコード部、データ変換部だけに電源供給し、収集した番組情報データを基に番組の終了を起点としてチャンネル切り替えし新しい番組情報データを収集するために第２のチューナ部と第２のデコード部とデータ変換部を制御する全チャネル番組情報収集手段を備えたことを特徴とする請求項１に記載のテレビジョン受像装置。
【請求項７】
デジタル放送に対応したチューナ部を備えたテレビジョン受像装置であって、
前記チューナ部の出力であるデータストリームを映像信号に変換する映像デコード部と、
前記チューナ部の出力であるデータストリームを番組情報データに変換する番組情報デコード部と、ＣＭ放送を感知するＣＭ放送感知部と、
前記チューナ部、前記番組情報デコード部を制御し、すべての放送チャンネルをスキャンし、番組情報データを収集する全チャネル番組情報収集部と、
前記番組情報データをチャネルと現在と次の二軸で管理される２次元形式の番組情報データベースに変換するデータ変換部と、
任意のチャンネルと時間情報を視聴者が指定する入力部と、
前記入力部で指定された所定のチャンネルと時間情報から所定の番組情報データを抽出し、出力する番組情報抽出部と、
デコード部から出力される映像信号と前記所定の番組情報データを選択的にあるいは合成して画面出力する手段を備えたことを特徴とするテレビジョン受像装置。
【請求項８】
デジタル放送に対応した第１のチューナ部とアナログ放送に対応した第２のチューナ部を備えたテレビジョン受像装置において、
前記第１のチューナ部の出力であるデータストリームを映像信号に変換する第１のデコード部と、
前記第２のチューナ部の出力であるアナログ映像信号から多重化されている番組情報データをデコードする第２のデコード部と、
前記番組情報データをチャンネルと日時の二軸で管理される２次元形式の番組情報データベースに変換するデータ変換部と、
任意のチャンネルと時間情報を視聴者が指定する入力部と、
前記入力部で指定された所定のチャンネルと時間情報から所定の番組情報データを抽出し出力する番組情報抽出部と
第１のデコード部から出力される映像信号と前記所定の番組情報データを選択的にあるいは合成して画面表示する手段を備えた表示部を備えたことを特徴とするテレビジョン受像装置。
【請求項９】
映像信号に多重化された番組情報データとして垂直帰線期間に多重化されたデータを用いることを特徴とする請求項１に記載のテレビジョン受像装置。
【請求項１０】
デジタル放送に対応した第１のチューナ部とアナログ放送に対応した第２のチューナ部を備えたテレビジョン受像装置において、
前記第１のチューナ部の出力であるデータストリームを映像信号に変換する第１のデコード部と、
前記第２のチューナ部の出力であるアナログ映像信号から多重化されている番組情報データをデコードする番組情報デコード部と、
前記第１のチューナ部の出力であるデータストリームを番組情報差分データに変換する番組情報差分デコード部と、
前記番組情報データに前記番組情報差分データを反映させた番組情報データをチャンネルと日時の二軸で管理される２次元形式の番組情報データベースに変換するデータ変換部と、
任意のチャンネルと時間情報を視聴者が指定する入力部と、
前記入力部で指定された所定のチャンネルと時間情報から所定の番組情報データを抽出し出力する番組情報抽出部と
第１のデコード部から出力される映像信号と前記所定の番組情報データを選択的にあるいは合成して画面表示する手段を備えた表示部を備えたことを特徴とするテレビジョン受像装置。
【請求項１１】
番組情報が表示されたテレビジョン受像機画面に対して上下方向と左右方向に所定のステップで移動を指示する第２の入力部と、
前記２次元形式の番組情報データベースに対して前記第２の入力部より前記上下方向の移動を指示された場合は日時軸を、前記左右方向の移動を指示された場合はチャンネル軸を所定量移動するポインタ移動部と、
ポインタ移動部で指定した日時とチャンネルで特定される所定の番組情報を抽出する第２の番組情報抽出部を備えたことを特徴とする請求項１に記載のテレビジョン受像装置。
【発明の詳細な説明】
【０００１】
【発明の属する技術分野】
本発明はテレビ放送における番組情報を表示する機能を備えたテレビジョン受像装置に関するものであり、特にアナログ放送のサイマルキャストで放送されるモバイル向けデジタル放送に対応したテレビジョン受像装置に関するものである。
【０００２】
【従来の技術】
現在、テレビ番組の放送予定は主に新聞や雑誌などによって、視聴者に知らされている。しかしながら近年は電子番組情報ガイド（ＥＰＧ：Ｅｌｅｃｔｒｉｃ  Ｐｒｏｇｒａｍ  Ｇｕｉｄｅ）が実用化され、市販されているテレビにおいてもこの機能を搭載したものが出回りつつある。
ＥＰＧはテレビ放送局から映像信号に多重化されて送出されている。その内容は現在の新聞のラジオ・テレビ欄に記あるような時間帯、チャンネル、番組名、出演者、番組内容の詳細情報などが各番組ごとに記載されている。
【０００３】
地上波アナログ放送では映像データが存在しない垂直帰線期間にあるラインにデータを多重化されている。
【０００４】
またＢＳやＣＳのデジタルテレビ放送では、デジタル化されているため映像、音声、データはそれぞれ独立に多重化されＭＰＥＧ２トランスポートストリームという形式で配信されているが、基本的な番組情報の内容についてはアナログ放送と同様である。
【０００５】
さらに２００３年末からは新たなテレビ放送として地上波デジタル放送が開始される予定である。地上波デジタル放送の特徴として以下の点が挙げられる。
（１）２０１１年に地上波アナログ放送を停波するまではサイマルキャスト放送でアナログとデジタルは同じ番組を放映する。
（２）デジタル放送の形態としては従来のアナログ放送を置き換えるフルセグメントの高品位放送と、モバイル端末を意識した１セグメントのモバイル向け放送がある。
セグメントとは従来のテレビチャンネルの帯域を１３に分割した単位を示し、１２セグメントを使ってＭＰＥＧ２による高品位な放送を配信するのが前者である。後者は残りの１セグメントを使ってＭＰＥＧ４などの高圧縮なコーデックを用いたモバイル用途向けの放送形態である。
（３）１セグメントを使ったモバイル用途向け放送（以下１ＳＥＧ放送と記す）は扱えるビットレートが高々６００ｋｂｐｓ程度であるため、映像と音声に帯域を割り当てるとデータ放送に使える帯域はわずかとなる。そのため番組情報データはそのチャンネルの今の番組情報に加えて高々次の番組情報のみが配信される予定である。
【０００６】
【特許文献１】
特開２０００−６９４３６号公報
【特許文献２】
特開２０００−３４１６０１号公報
【０００７】
【発明が解決しようとする課題】
しかしながら、上述したようにモバイル向けデジタル放送とはいえ、これから始まる新たなテレビ放送にも関わらず、他のチャンネルを含めた番組情報が自動的に取得できないという問題があることがわかる。
【０００８】
家庭内のテレビは今後ますますＥＰＧが搭載されたテレビが主流になり、テレビで番組情報が簡単に利用できるのは当たり前になることが予想される。そのためモバイル用途とはいえ、番組情報の表示に関して何らかの利便性を提供することが重要な課題となっている。
【０００９】
また、家庭内のテレビは近年画面サイズが大型化、高精細化しているため、新聞のラジオ・テレビ欄のような形式で番組情報を表示することは可能であるが、携帯電話のようなモバイル端末でテレビ放送を受信する場合は、ディスプレイサイズが小さく直感的に理解しやすい方法で番組情報を表示することがユーザーインターフェースの面でも重要である。
【００１０】
【課題を解決するための手段】
上述した課題を解決するために第１の本発明においては、デジタル放送を受信する第１のチューナ部と、前記第１のチューナ部の出力であるデータストリームを映像信号に変換する第１のデコード部と、デジタル放送を受信する第２のチューナ部と、前記第２のチューナ部の出力であるデータストリームを番組情報データに変換する第２のデコード部と、前記番組情報データをチャネルと現在と次の二軸で管理される２次元形式の番組情報データベースに変換するデータ変換部と、任意のチャンネルと時間情報を視聴者が指定する入力部と、前記入力部で指定された所定のチャンネルと時間情報から所定の番組情報データを抽出し、出力する番組情報抽出部と、第１のデコード部から出力される映像信号と前記所定の番組情報データを選択的にあるいは合成して画面出力する手段を備えたことを特徴とするテレビジョン受像装置である。
【００１１】
また第２の本発明においては、収集した番組情報データを基に、番組の終了を起点として、チャンネル切り替えし新しい番組情報データを収集するために第２のチューナ部、第２のデコード部、データ変換部を制御する全チャネル番組情報収集手段を備えたことを特徴とする第１の発明に記載のテレビジョン受像装置としたものである。
【００１２】
また第３の本発明においては、デジタル放送に対応したチューナ部を備えたテレビジョン受像機において、前記チューナ部の出力であるデータストリームを映像信号に変換する映像デコード部と、前記チューナ部の出力であるデータストリームを番組情報データに変換する番組情報デコード部と、ＣＭ放送を感知するＣＭ放送感知部と、前記チューナ部、前記番組情報デコード部を制御し、すべての放送チャンネルをスキャンし、番組情報データを収集する全チャネル番組情報収集部と、前記番組情報データをチャネルと現在と次の二軸で管理される２次元形式の番組情報データベースに変換するデータ変換部と、任意のチャンネルと時間情報を視聴者が指定する入力部と、前記入力部で指定された所定のチャンネルと時間情報から所定の番組情報データを抽出し、出力する番組情報抽出部と、デコード部から出力される映像信号と前記所定の番組情報データを選択的にあるいは合成して画面出力する手段を備えたことを特徴とするテレビジョン受像装置である。
【００１３】
また第４の本発明においては、デジタル放送に対応した第１のチューナ部とアナログ放送に対応した第２のチューナ部を備えたテレビジョン受像装置において、
前記第１のチューナ部の出力であるデータストリームを映像信号に変換する第１のデコード部と、前記第２のチューナ部の出力であるアナログ映像信号から多重化されている番組情報データをデコードする第２のデコード部と、前記番組情報データをチャンネルと日時の二軸で管理される２次元形式の番組情報データベースに変換するデータ変換部と、任意のチャンネルと時間情報を視聴者が指定する入力部と、前記入力部で指定された所定のチャンネルと時間情報から所定の番組情報データを抽出し出力する番組情報抽出部と、第１のデコード部から出力される映像信号と前記所定の番組情報データを選択的にあるいは合成して画面表示する手段を備えた表示部を備えたことを特徴とするテレビジョン受像装置である。
【００１４】
また第５の本発明においては、デジタル放送に対応した第１のチューナ部とアナログ放送に対応した第２のチューナ部を備えたテレビジョン受像装置において、
前記第１のチューナ部の出力であるデータストリームを映像信号に変換する第１のデコード部と、前記第２のチューナ部の出力であるアナログ映像信号から多重化されている番組情報データをデコードする第２のデコード部と、前記番組情報データをチャンネルと日時の二軸で管理される２次元形式の番組情報データベースに変換するデータ変換部と、任意のチャンネルと時間情報を視聴者が指定する入力部と、前記入力部で指定された所定のチャンネルと時間情報から所定の番組情報データを抽出し出力する番組情報抽出部と、第１のデコード部から出力される映像信号と前記所定の番組情報データをを選択的にあるいは合成して画面表示する手段を備えた表示部を備えたことを特徴とするテレビジョン受像装置である。
【００１５】
また第６の本発明においては、番組情報が表示されたテレビジョン受像機画面に対して上下方向と左右方向に所定のステップで移動を指示する第２の入力部と、前記２次元形式の番組情報データベースに対して前記第２の入力部より前記上下方向の移動を指示された場合は日時軸を、前記左右方向の移動を指示された場合はチャンネル軸を所定量移動するポインタ移動部と、ポインタ移動部で指定した日時とチャンネルで特定される所定の番組情報を抽出する第２の番組情報抽出部を備えたことを特徴とするテレビジョン受像装置である。
【００１６】
【発明の実施の形態】
以下に本発明の実施の形態について図面を参照して説明する。
（実施の形態１）
図１は第１の実施の形態のテレビジョン受像装置の構成を示すブロック図である。
図１において、１０１はデジタルチューナ、１０２はデジタル復調部、１０３はデスクランブル部、１０４はマルチプレクサ部、１０５はトランスポートデコーダ、１０６はＭＰＥＧ４デコーダ、１０７はバッファメモリ、１１１はデジタルチューナ、１１２はデジタル復調部、１１３はデスクランブル部、１１４はマルチプレクサ部、１１５はトランスポートデコーダ、１１６は番組情報デコーダ、１２１は番組情報データベース化部、１２２はデータベースメモリ、１２３は番組情報データ指示部、１２４は番組情報画面生成部、１２５は画面合成部、１２６はフォーマット変換部、１２７は液晶表示部である。
【００１７】
まず映像信号の処理手順について説明する。
【００１８】
デジタルチューナ１０１は１ＳＥＧ放送を受信するためのデジタルチューナであり、ここで選局されたチャンネルの高周波信号が出力されてデジタル復調部１０２でデジタルデータに変換される。そしてさらに必要に応じてデスクランブル部１０３で暗号化されたデータを復号化しさらにデマチプレクサ１０４で多重化されている番組や付加情報データを分離を行う。トランスポートデコーダ１０５はＭＰＥＧ２トランスポートストリームに時分割多重されている映像データを分離し、エレメンタリパケットに変換を行う。ＭＰＥＧ４デコーダはその映像データをＱＶＧＡ（３２０ｘ２４０画素）あるいはワイドＱＶＧＡ（３２０ｘ１８０画素）の映像信号にデコードし、１画面単位でバッファメモリ１０７に格納する。
【００１９】
一方、番組情報データについては１ＳＥＧデジタル放送で行われているサービスを利用する。デジタルチューナ１１１は番組情報提供サービスが行われている所定のチャンネルを選局し、選局されたチャンネルの高周波信号が出力されてデジタル復調部１１２でデジタルデータに変換される。そしてさらに必要に応じてデスクランブル部１１３で暗号化されたデータを復号化しさらにデマチプレクサ１１４で多重化されている番組や付加情報データを分離を行う。トランスポートデコーダ１１５はＭＰＥＧ２トランスポートストリームに時分割多重されている番組データを分離し、番組情報デコーダ１１６で番組情報データにデコードする。このようにして得られた番組情報データは、放送時間帯、チャンネル、番組タイトル、出演者、あらすじなどの情報で構成されているため、これを番組をひとつのデータセルとし、日時とチャンネルで規定できる２次元平面に配置したデータベースを番組情報データベース化部１２１で処理し、データベースメモリ１２２に配置する。
（実施の形態２）
図２は第２の実施の形態のテレビジョン受像装置の構成を示すブロック図である。
図２において、１０１はデジタルチューナ、１０２はデジタル復調部、１０３はデスクランブル部、１０４はマルチプレクサ部、１０５はトランスポートデコーダ、１０６はＭＰＥＧ４デコーダ、１０７はバッファメモリ、１１１はデジタルチューナ、１１２はデジタル復調部、１１３はデスクランブル部、１１４はマルチプレクサ部、１１５はトランスポートデコーダ、１１６は番組情報デコーダ、１３１は全チャンネル番組情報収集部、１２１は番組情報データベース化部、１２２はデータベースメモリ、１２３は番組情報データ指示部、１２４は番組情報画面生成部、１２５は画面合成部、１２６はフォーマット変換部、１２７は液晶表示部である。
【００２０】
まず映像信号の処理手順について説明する。
【００２１】
デジタルチューナ１０１は１ＳＥＧ放送を受信するためのデジタルチューナであり、ここで選局されたチャンネルの高周波信号が出力されてデジタル復調部１０２でデジタルデータに変換される。そしてさらに必要に応じてデスクランブル部１０３で暗号化されたデータを復号化しさらにデマチプレクサ１０４で多重化されている番組や付加情報データを分離を行う。トランスポートデコーダ１０５はＭＰＥＧ２トランスポートストリームに時分割多重されている映像データを分離し、エレメンタリパケットに変換を行う。ＭＰＥＧ４デコーダはその映像データをＱＶＧＡ（３２０ｘ２４０画素）あるいはワイドＱＶＧＡ（３２０ｘ１８０画素）の映像信号にデコードし、１画面単位でバッファメモリ１０７に格納する。
【００２２】
一方、番組情報データについては１ＳＥＧデジタル放送で行われているサービスを利用する。デジタルチューナ１１１は番組情報提供サービスが行われている所定のチャンネルを選局し、選局されたチャンネルの高周波信号が出力されてデジタル復調部１１２でデジタルデータに変換される。そしてさらに必要に応じてデスクランブル部１１３で暗号化されたデータを復号化しさらにデマチプレクサ１１４で多重化されている番組や付加情報データを分離を行う。トランスポートデコーダ１１５はＭＰＥＧ２トランスポートストリームに時分割多重されている番組データを分離し、番組情報デコーダ１１６で番組情報データにデコードする。このようにして得られた番組情報データは、放送時間帯、チャンネル、番組タイトル、出演者、あらすじなどの情報で構成されているため、これを番組をひとつのデータセルとし、日時とチャンネルで規定できる２次元平面に配置したデータベースを番組情報データベース化部１２１で処理し、データベースメモリ１２２に配置する。全チャンネル番組情報収集部１３１はデジタルチューナ１１１、デジタル復調部１１２、デスクランブル部１１３、デマチプレクサ１１４、トランスポートデコーダ１１５、番組情報デコーダ１１６を制御し、所定の周期でチャンネル選局を変更し、選局されたチャンネルの番組情報データを取得する。また、収集した番組情報データを基に番組終了の時刻を起点として、チャンネル選局を行い、新しい番組情報データを収集する。
（実施の形態３）
図３は第３の実施の形態のテレビジョン受像装置の構成を示すブロック図である。
図３において、１０１はデジタルチューナ、１０２はデジタル復調部、１０３はデスクランブル部、１０４はマルチプレクサ部、１０５はトランスポートデコーダ、１０６はＭＰＥＧ４デコーダ、１０７はバッファメモリ、１０８は番組情報デコーダ、１３１は全チャンネル番組情報収集部、１３２はＣＭ放送感知部、１２１は番組情報データベース化部、１２２はデータベースメモリ、１２３は番組情報データ指示部、１２４は番組情報画面生成部、１２５は画面合成部、１２６はフォーマット変換部、１２７は液晶表示部である。
【００２３】
まず映像信号の処理手順について説明する。
【００２４】
デジタルチューナ１０１は１ＳＥＧ放送を受信するためのデジタルチューナであり、ここで選局されたチャンネルの高周波信号が出力されてデジタル復調部１０２でデジタルデータに変換される。そして更に必要に応じてデスクランブル部１０３で暗号化されたデータを復号化しさらにデマチプレクサ１０４で多重化されている番組や付加情報データを分離を行う。トランスポートデコーダ１０５はＭＰＥＧ２トランスポートストリームに時分割多重されている映像データを分離し、エレメンタリパケットに変換を行う。ＭＰＥＧ４デコーダはその映像データをＱＶＧＡ（３２０ｘ２４０画素）あるいはワイドＱＶＧＡ（３２０ｘ１８０画素）の映像信号にデコードし、１画面単位でバッファメモリ１０７に格納する。
【００２５】
一方、番組情報データについては１ＳＥＧデジタル放送で行われているサービスを利用する。ＣＭ放送感知部１３２はＣＭ放送を感知すると現在選局されているチャンネル情報を保存し、全チャンネル番組情報収集部１３１を起動する。全チャンネル番組情報収集部１３１は想定される所定のＣＭ放送時間の間、以下の制御を行う。デジタルチューナ１０１は番組情報提供サービスが行われている所定のチャンネルを選局し、選局されたチャンネルの高周波信号が出力されてデジタル復調部１０２でデジタルデータに変換させる。そしてさらに必要に応じてデスクランブル部１０３で暗号化されたデータを復号化しさらにデマチプレクサ１０４で多重化されている番組や付加情報データを分離を行う。トランスポートデコーダ１０５はＭＰＥＧ２トランスポートストリームに時分割多重されている番組データを分離し、番組情報デコーダ１０８で番組情報データにデコードする。このようにして得られた番組情報データは、放送時間帯、チャンネル、番組タイトル、出演者、あらすじなどの情報で構成されているため、これを番組をひとつのデータセルとし、日時とチャンネルで規定できる２次元平面に配置したデータベースを番組情報データベース化部１２１で処理し、データベースメモリ１２２に配置する。
（実施の形態４）
図４は第４の実施の形態のテレビジョン受像装置の構成を示すブロック図である。
図４において、１０１はデジタルチューナ、１０２はデジタル復調部、１０３はデスクランブル部、１０４はマルチプレクサ部、１０５はトランスポートデコーダ、１０６はＭＰＥＧ４デコーダ、１０７はバッファメモリ、１４１はアナログチューナ、１４２はアナログ復調部、１４３はＶＢＩデコーダ、１４４は番組情報デコーダ、１２１は番組情報データベース化部、１２２はデータベースメモリ、１２３は番組情報データ指示部、１２４は番組情報画面生成部、１２５は画面合成部、１２６はフォーマット変換部、１２７は液晶表示部である。
図６は、本発明の第４の実施例における受信端末の操作パネルを図示したものであり、２０１は液晶画面、２０２から２１０は操作ボタンである。
【００２６】
まず映像信号の処理手順について説明する。
【００２７】
デジタルチューナ１０１は１ＳＥＧ放送を受信するためのデジタルチューナであり、ここで選局されたチャンネルの高周波信号が出力されてデジタル復調部１０２でデジタルデータに変換される。そしてさらに必要に応じてデスクランブル部１０３で暗号化されたデータを復号化しさらにデマチプレクサ１０４で多重化されている番組や付加情報データを分離を行う。トランスポートデコーダ１０５はＭＰＥＧ２トランスポートストリームに時分割多重されている映像データを分離し、エレメンタリパケットに変換を行う。ＭＰＥＧ４デコーダはその映像データをＱＶＧＡ（３２０ｘ２４０画素）あるいはワイドＱＶＧＡ（３２０ｘ１８０画素）の映像信号にデコードし、１画面単位でバッファメモリ１０７に格納する。
【００２８】
一方、番組情報データについては既存のアナログテレビ放送で行われているサービスを利用する。
アナログチューナ１４１はＥＰＧ番組情報提供サービスが行われている所定のチャンネルを選局し、そのチャンネルの高周波信号をアナログ復調部１４２で復調しＮＴＳＣ映像信号にを得る。そしてＶＢＩデコーダ１４３で垂直帰線期間の所定ラインに多重化されている多重化信号を取り出し、番組情報デコーダ１４４で番組情報データにデコードする。映像信号に多重化されている番組情報データは常に配信されているとは限らず、ある周期をもって配信されている。そのため番組情報をデコードする処理は周期的に行われる。このようにして得られた番組情報データは、放送時間帯、チャンネル、番組タイトル、出演者、あらすじなどの情報で構成されているため、これを番組をひとつのデータセルとし、日時とチャンネルで規定できる２次元平面に配置したデータベースを番組情報データベース化部１２１で処理し、データベースメモリ１２２に配置する。
また視聴者は現在のテレビ番組情報が見たい場合に機器パネルのボタン２０２を押し番組情報表示をリクエストする。その情報が番組情報データ指示部１２３から番組情報データベース化部１２１へ伝わり、データベースメモリ１２２から現在表示されている番組の番組情報を取得する。そして画面表示するに必要な画面情報を番組情報画面生成部１２４で生成される。
ここでバッファメモリ１０７に格納されている映像データは順次一定間隔で読み出されているが、画面合成部１２５で、映像データに番組情報画面生成部１２４で生成された番組情報画面が多重化されフォーマット変換部１２６で液晶表示部１２７に表示される。図６の液晶パネル２０１に例を示す。
図７は番組情報データベースのイメージ図である。縦軸が日時、横軸がチャンネルである。現在視聴している番組が図７に示す番組Ａだとすると、チャンネル選択ボタンであるボタン２０６を押した場合は番組Ｂの番組情報を、またボタン２０９を２回押した場合は番組Ｃの番組情報を即座に表示することができる。１ＳＥＧ放送はチャンネルを変更した場合に再び画面表示されるまでに最悪８秒かかるために、内部でデータベースとして持っている番組情報を先行的に表示することで視聴者の待ち時間に対する苛立ちを緩和することができる。
また図７において時間軸ボタン２０７を押すことで現在の番組Ａの次の番組である番組Ｄの情報を取得できる。この場合、映像は番組Ａを表示したままで未来の番組情報を見ることができる。更にもう一度ボタン２０７を押せば番組Ｅの情報を、更にボタン２０８を押せば６チャンネルの番組Ｆの情報も表示することができ、視聴予約や録画予約に有効な方法となる。
ボタン２０６は時間軸の過去へ移動するボタンとなる。この場合は、すでに番組は終わっているので番組情報データとしては無意味であるが、もし番組Ｇが録画済であれば現在のチャンネルに関わらずその情報を表示し、ダイレクト再生など操作の利便性を向上させることができる。
またボタン２０３を押すと番組情報データベースのポインタの位置が番組Ａに戻りどこにポインタが移動したのかわからなくなるのを防ぐ。
これらのボタン操作とポインタの移動の関連付けは番組情報データ指示部１２３で行う。
【００２９】
（実施の形態５）
図５は第５の実施の形態のテレビジョン受像装置の構成を示すブロック図である。
図５において、１０１はデジタルチューナ、１０２はデジタル復調部、１０３はデスクランブル部、１０４はマルチプレクサ部、１０５はトランスポートデコーダ、１０６はＭＰＥＧ４デコーダ、１０７はバッファメモリ、１４１はアナログチューナ、１４２はアナログ復調部、１４３はＶＢＩデコーダ、１４４は番組情報デコーダ、１２１は番組情報データベース化部、１２２はデータベースメモリ、１２３は番組情報データ指示部、１２４は番組情報画面生成部、１２５は画面合成部、１２６はフォーマット変換部、１２７は液晶表示部である。
図６は、本発明の第５の実施例における受信端末の操作パネルを図示したものであり、２０１は液晶画面、２０２から２１０は操作ボタンである。
【００３０】
まず映像信号の処理手順について説明する。
【００３１】
デジタルチューナ１０１は１ＳＥＧ放送を受信するためのデジタルチューナであり、ここで選局されたチャンネルの高周波信号が出力されてデジタル復調部１０２でデジタルデータに変換される。そしてさらに必要に応じてデスクランブル部１０３で暗号化されたデータを復号化しさらにデマチプレクサ１０４で多重化されている番組や付加情報データを分離を行う。トランスポートデコーダ１０５はＭＰＥＧ２トランスポートストリームに時分割多重されている映像データを分離し、エレメンタリパケットに変換を行う。ＭＰＥＧ４デコーダはその映像データをＱＶＧＡ（３２０ｘ２４０画素）あるいはワイドＱＶＧＡ（３２０ｘ１８０画素）の映像信号にデコードし、１画面単位でバッファメモリ１０７に格納する。
【００３２】
一方、番組情報データについては既存のアナログテレビ放送で行われているサービスを利用する。但し、比較的に長い周期で情報が配信されるため、番組変更などに追随できない場合がある。そのためその番組変更の情報をデジタルテレビ放送の番組情報として配信する。アナログチューナ１４１はＥＰＧ番組情報提供サービスが行われている所定のチャンネルを選局し、そのチャンネルの高周波信号をアナログ復調部１４２で復調しＮＴＳＣ映像信号にを得る。そしてＶＢＩデコーダ１４３で垂直帰線期間の所定ラインに多重化されている多重化信号を取り出し、番組情報デコーダ１４４で番組情報データにデコードする。映像信号に多重化されている番組情報データは常に配信されているとは限らず、ある周期をもって配信されている。そのため番組情報をデコードする処理は周期的に行われる。また、デジタルチューナ１０１は番組情報提供サービスが行われている所定のチャンネルを選局し、選局されたチャンネルの高周波信号が出力されてデジタル復調部１０２でデジタルデータに変換される。そしてさらに必要に応じてデスクランブル部で暗号化されたデータを復号化しさらにデマチプレクサ１０４で多重化されている番組や付加情報データを分離を行う。トランスポートデコーダ１０５はＭＰＥＧ２トランスポートストリームに時分割多重されている番組データを分離し、番組情報デコーダ１０８で番組差分情報データにデコードする。
番組情報データと番組差分情報データは番組差分補完部１３３で最新の番組情報データに変換される。このようにして得られた番組情報データは、放送時間帯、チャンネル、番組タイトル、出演者、あらすじなどの情報で構成されているため、これを番組をひとつのデータセルとし、日時とチャンネルで規定できる２次元平面に配置したデータベースを番組情報データベース化部１２１で処理し、データベースメモリ１２２に配置する。
【００３３】
【発明の効果】
以上説明から明らかなように、本発明は地上波デジタルテレビ放送のモバイル受信端末にとって利便性の高い番組情報表示機能を提供することができる。
【図面の簡単な説明】
【図１】本発明の第１の実施形態におけるテレビジョン受信装置の構成を示すブロック図
【図２】本発明の第２の実施形態におけるテレビジョン受信装置の構成を示すブロック図
【図３】本発明の第３の実施形態におけるテレビジョン受信装置の構成を示すブロック図
【図４】本発明の第４の実施形態におけるテレビジョン受信装置の構成を示すブロック図
【図５】本発明の第５の実施形態におけるテレビジョン受信装置の構成を示すブロック図
【図６】本発明の第５の実施形態におけるパネル配置図
【図７】本発明の第５の実施形態における番組情報データベースのイメージ図
【符号の説明】
１０１、１１１  デジタルチューナ
１０２、１１２  デジタル復調部
１０３、１１３  デスクランブル
１０４、１１４  デマルチプレクサ
１０５、１１５  トランスポートデコーダ
１０６  ＭＰＥＧ４デコーダ
１０７  バッファメモリ
１０８、１１６  番組情報デコーダ
１２１  番組情報データベース化部
１２２  データベースメモリ
１２３  番組情報データ指示部
１２４  番組情報画面生成部
１２５  画面合成部
１２６  フォーマット変換部
１２７  液晶表示部
１３１  全チャンネル番組情報収集
１３２  ＣＭ放送感知
１３３  番組情報差分補完
１４１  アナログチューナ
１４２  アナログ復調部
１４３  ＶＢＩデコーダ
１４４  アナログ番組情報デコーダ
【図１】
2004222031.tif 000003
【図２】
2004222031.tif 000004
【図３】
2004222031.tif 000005
【図４】
2004222031.tif 000006
【図５】
2004222031.tif 000007
【図６】
2004222031.tif 000008
【図７】
2004222031.tif 000009